(57)【要約】【課題】挿入性と保持力を両立し、水漏れの抑制効果を向上させた挿入部位を持つシール部材を備えた高性能な食器洗い機を提供する。【解決手段】シール部材当接部１ａとシール部材挿入部１ｂを有し前面部２０の開口部１２周囲の上部及び側部に設けられるシール部材１と、開口部１２を開閉しシール部材当接部１ａと当接することによって開口部１２をシールして閉塞する扉体１３を備え、本体１０または洗浄槽１１にシール部材１を組み込む溝部２１を設け、溝部２１へ挿入するシール部材挿入部１ｂの形状を、幹部４から枝状に形成した下部枝部３ａの先端部が上部枝部３ｂの根元よりも上方に位置する形状としたものであり、挿入性と保持力を両立し、水漏れの抑制効果を向上させた高品質な食器洗い機が実現可能となる。【選択図】図１
2012217737.tif 000002
【特許請求の範囲】
【請求項１】
被洗浄物を出し入れするための開口部を前面部に有する本体と、前記本体内部に設けられ被洗浄物を収納する洗浄槽と、洗浄水を前記洗浄槽内に噴射する洗浄ノズルと、シール部材当接部とシール部材挿入部を有し前記開口部周囲の上部及び側部に設けられるシール部材と、前記開口部を開閉し前記シール部材当接部と当接することによって前記開口部をシールして閉塞する扉体とを備え、前記本体または前記洗浄槽に前記シール部材を組み込む溝部を設け、前記溝部へ挿入する前記シール部材挿入部の形状を、幹部から枝状に形成した下部枝部の先端部が上部枝部の根元よりも上方に位置する形状とした食器洗い機。
【請求項２】
前記シール部材挿入部の前記下部枝部、前記上部枝部の先端部に、下方に連なる部分より外側に屈曲させて形成した先端フック部を設けた請求項１に記載の食器洗い機。
【請求項３】
前記シール部材挿入部の前記下部枝部、前記上部枝部の形状は、挿入完了時に前記溝部との隙間を無くす形状構成とした請求項１または２に記載の食器洗い機。
【請求項４】
前記シール部材挿入部は、前記溝部へ挿入時に、前記上部枝部がシール部材当接部下方に設けたフランジ部に、また前記下部枝部が前記上部枝部にそれぞれ接触するまで延長し、前記下部枝部および上部枝部の根元の屈曲部およびその屈曲部に近接する前記幹部を除肉し、さらに前記屈曲部の除肉部位とは反対側を増肉した構成とした請求項１〜３のいずれか１項に記載の食器洗い機。
【請求項５】
前記シール部材挿入部の前記下部枝部の前記幹部に対して成す角度を、前記上部枝部が前記幹部に対して成す角度より鋭角な構成とした請求項１〜４のいずれか１項に記載の食器洗い機。
【請求項６】
前記シール部材挿入部の前記下部枝部の横幅を前記上部枝部の横幅よりも大きな構成とした請求項１〜５のいずれか１項に記載の食器洗い機。
【請求項７】
前記シール部材挿入部は、前記溝部へ挿入時に、前記下部枝部の変形が前記上部枝部を合わせて変形させる構成とした請求項１〜６のいずれか１項に記載の食器洗い機。
【発明の詳細な説明】
【技術分野】
【０００１】
本発明は、食器等を洗浄する食器洗い機に関する。より詳しくは、本発明は、食器洗い機の前面の開口部をシールするシール部材の取付け構成に関する。
【背景技術】
【０００２】
従来この種の食器洗い機は、食器等の被洗浄物を出し入れする開口部からの洗浄水の漏れを防止するために、洗浄槽もしくは本体の前面の開口部周囲に設けた溝部にシール部材を挿入した構成としている（例えば、特許文献１参照）。
【０００３】
図５〜６はこの種の一般的な食器洗い機を示したもので、以下、その構成について説明する。食器洗い機は食器等の被洗浄物を洗浄槽１１の前面に設けた開口部１２から洗浄槽１１に収納し、開口部１２を下扉体１３ａ、上扉体１３ｂにより閉塞してから、洗浄ポンプ１４を運転し、洗浄ポンプ１４によって加圧された洗浄水を洗浄ノズル１５から噴射することにより、被洗浄物の洗浄及びすすぎ工程を行うように構成されている。
【０００４】
開口部１２には弾性体（例えばゴム）で形成されたシール部材１が設けられている。シール部材１はシール部材当接部１ａとシール部材挿入部１ｂとで構成されており、本体１０内に収納された洗浄槽１１の前面に設けられた溝部２１に前記シール部材挿入部１ｂを圧入することで引張りに対し一定の保持力を実現し、食器洗い機運転中に洗浄水が前方に漏れ出さないようにするとともに、下扉体１３ａ、上扉体１３ｂの開閉動作によってシール部材１が溝部２１から抜け出さないようにしている。
【先行技術文献】
【特許文献】
【０００５】
【特許文献１】特開２０１１−０１５７６７号公報
【発明の概要】
【発明が解決しようとする課題】
【０００６】
しかしながら、このような従来の食器洗い機では、前記シール部材１の取付けは引張りに対して高い保持力を要求すると、反面挿入時の作業が困難になるという課題と、前記洗浄槽１１の溝部２１と前記シール部材１のシール部材挿入部１ｂの空きスペースが大きく、当該空きスペースに水が侵入して水漏れを招く恐れがあるという課題を有していた。
【０００７】
本発明は、上記従来の課題を解決するもので、本体または洗浄槽にシール部材を組み込む溝部を設け、溝部へ挿入するシール部材挿入部の形状を、幹部から枝状に形成した下部枝部の先端部が上部枝部の根元よりも上方に位置する形状としたことで、挿入変形時に下部枝部が上部枝部を巻き込み被さるように変形させ、溝部との隙間を著しく減少させて、シール部材の挿入性と保持力を両立し、溝部への水の侵入およびそれによる前面部の開口部からの水漏れの抑制効果を向上させた高品質な食器洗い機を提供することを目的とする。
【課題を解決するための手段】
【０００８】
本発明は上記目的を達成するために、被洗浄物を出し入れするための開口部を前面部に有する本体と、前記本体内部に設けられ被洗浄物を収納する洗浄槽と、洗浄水を前記洗浄槽内に噴射する洗浄ノズルと、シール部材当接部とシール部材挿入部を有し前記開口部周囲の上部及び側部に設けられるシール部材と、前記開口部を開閉し前記シール部材当接部と当接することによって前記開口部をシールして閉塞する扉体とを備え、前記本体または
前記洗浄槽に前記シール部材を組み込む溝部を設け、前記溝部へ挿入する前記シール部材挿入部の形状を、幹部から枝状に形成した下部枝部の先端部が上部枝部の根元よりも上方に位置する形状とした食器洗い機である。
【０００９】
これにより、挿入変形時に下部枝部が上部枝部を巻き込み被さるように変形させることで溝部との隙間を著しく減少させ、シール部材の挿入性と保持力を両立し、前面部の開口部からの水漏れの抑制効果を向上させた高品質な食器洗い機を実現可能とする。
【発明の効果】
【００１０】
本発明の食器洗い機によれば、シール部材組込みの挿入に要する力を減少させながら引張りに対して高い保持力を有することが可能となる。またシール部材挿入部の枝部を大きく構成することが可能な為、溝部との間の空きスペースを減少させ、溝部への水進入による水漏れを抑制した高品質な食器洗い機を提供することができる。
【図面の簡単な説明】
【００１１】
【図１】本発明の実施の形態１における食器洗い機の扉体閉塞時の側面縦断面図
【図２】同食器洗い機のシール部材挿入箇所の拡大断面図
【図３】同食器洗い機の扉体開成時の斜視図
【図４】（ａ）同食器洗い機のシール部材の全体構成を示す断面図（ｂ）同シール部材のシール部材当接部とシール部材挿入部とを分断して示す断面図（ｃ）同シール部材の従来品とは異なる部位を示す詳細説明図（ｄ）同シール部材の溝部への組付け完了状態での隙間を従来品の場合と比較して示す説明図
【図５】従来の食器洗い機の側断面図
【図６】同食器洗い機のシール部材挿入箇所の拡大断面図
【発明を実施するための形態】
【００１２】
第１の発明は、被洗浄物を出し入れするための開口部を前面部に有する本体と、前記本体内部に設けられ被洗浄物を収納する洗浄槽と、洗浄水を前記洗浄槽内に噴射する洗浄ノズルと、シール部材当接部とシール部材挿入部を有し前記開口部周囲の上部及び側部に設けられるシール部材と、前記開口部を開閉し前記シール部材当接部と当接することによって前記開口部をシールして閉塞する扉体とを備え、前記本体または前記洗浄槽に前記シール部材を組み込む溝部を設け、前記溝部へ挿入する前記シール部材挿入部の形状を、幹部から枝状に形成した下部枝部の先端部が上部枝部の根元よりも上方に位置する形状としたことにより、引張りに対する高い保持力を維持しながらシール部材の組込みの際にシール部材挿入部の挿入に要する力を著しく軽減し、溝部との間の空きスペースをより減少させて水漏れの抑制効果を向上させた高品質な食器洗い機を実現できる。
【００１３】
第２の発明は、上記第１の発明において、前記シール部材挿入部の前記下部枝部、前記上部枝部の先端部に、下方に連なる部分より外側に屈曲させて形成した先端フック部を設けたことにより、シール部材が溝部の壁面にフック状に強く保持され、また、扉体閉塞時の溝部から引き抜く方向に働く力に対しても先端フック部で強く抵抗し、シール部材が溝部から抜けたり正規の位置からずれたりして水漏れが発生することを防止することができる。
【００１４】
第３の発明は、上記第１または第２の発明において、前記シール部材挿入部の前記下部枝部、前記上部枝部の形状は、挿入完了時に前記溝部との隙間を無くす形状構成としたことにより、シール部材挿入部と溝部との隙間への水侵入を原因とする前面部の開口部からの水漏れを抑制する高いシール性を実現できる。
【００１５】
第４の発明は、上記第１〜第３のいずれかの発明において、前記シール部材挿入部は、
前記溝部へ挿入時に、前記上部枝部がシール部材当接部下方に設けたフランジ部に、また前記下部枝部が前記上部枝部にそれぞれ接触するまで延長し、前記下部枝部および上部枝部の根元の屈曲部およびその屈曲部に近接する前記幹部を除肉し、さらに前記屈曲部の除肉部位とは反対側を増肉した構成としたことにより、引張りに対する高い保持力を維持しながらシール部材の組込みの際にシール部材挿入部の挿入に要する力を著しく軽減し、水漏れの抑制効果を向上させることができる。
【００１６】
第５の発明は、上記第１〜第４のいずれかの発明において、前記シール部材挿入部の前記下部枝部の前記幹部に対して成す角度を、前記上部枝部が前記幹部に対して成す角度より鋭角な構成としたことにより、シール部材挿入部の挿入変形時に上下枝部間の接触をより確実かつ強固にすることができ、水漏れの抑制効果をなお一層向上させることができる。
【００１７】
第６の発明は、上記第１〜第５のいずれかの発明において、前記シール部材挿入部の前記下部枝部の横幅を前記上部枝部の横幅よりも大きな構成としたことにより、シール部材挿入部の挿入変形時に下部枝部が上部枝部を上方部分まで十分に巻き込み被さるように変形し、下部枝部の上部枝部への接触をより確実かつ強固にすることができ、水漏れの抑制効果をなお一層向上させることができる。
【００１８】
第７の発明は、上記第１〜第６のいずれかの発明において、前記シール部材挿入部は、前記溝部へ挿入時に、前記下部枝部の変形が前記上部枝部を合わせて変形させる構成としたことにより、下部枝部と上部枝部とで相乗効果的に溝部壁面にシール部材を強く保持させることができる。
【００１９】
以下、本発明の実施の形態について、図面を参照しながら説明する。なお、この実施の形態によって本発明が限定されるものではない。
【００２０】
（実施の形態１）
図１〜図４は、本発明の第１の実施の形態における食器洗い機の構成を示している。図１および図３において、洗浄水を噴射して食器１６などの被洗浄物を洗浄する食器洗い機は、本体１０内部に洗浄槽１１が設けられている。また、本体１０は前面部２０に食器１６などを出し入れするための開口部１２を有している。洗浄槽１１の内部には、食器１６などの被洗浄物をセットする食器かご１７が開口部１２から出し入れ可能に収納されている。食器かご１７は、洗浄槽１１の下部に配置された下食器かご１７ａと洗浄槽１１の上部に配置された上食器かご１７ｂとで構成されている。
【００２１】
開口部１２は、扉体１３により開閉されるよう構成されている。扉体１３は、下扉体１３ａと上扉体１３ｂとを有している。下扉体１３ａと上扉体１３ｂは、扉体開閉機構（図示しない）によって可逆的に開閉動作されるように構成され、下扉体１３ａは、開口部１２下端部で下支持軸１８ａにより回転自在に軸支され、開放初期においては開口部１２に対してほぼ直角方向に前方に移動し、開口部１２の前下方にその内面が上向き略水平となる位置まで開成する。上扉体１３ｂは、洗浄槽１１の側壁で上支持軸１８ｂにより回転自在に軸支され、開放初期においては開口部１２に対して直角方向やや上方に向けて前方に移動し、本体１０上面に被さるように開成する。また、下扉体１３ａと上扉体１３ｂは、後述するシール部材１に当接することによって、開口部１２を水密にシールして閉塞する。
【００２２】
洗浄槽１１下部には、主に下食器かご１７ａにセットされた食器１６に洗浄水を噴射して洗浄する下洗浄ノズル１５ａが設けられている。洗浄槽１１上部には、主に上食器かご１７ｂにセットされた食器１６に洗浄水を噴射して洗浄する上洗浄ノズル１５ｂが設けら
れている。また、洗浄槽１１下方には、下洗浄ノズル１５ａと上洗浄ノズル１５ｂへ洗浄水を供給する洗浄ポンプ１４が配置されている。
【００２３】
前面部２０に設けた開口部１２の周囲の上部及び側部には、弾性体（例えばシリコンゴム）で形成されたシール部材１が洗浄槽１１の内側壁２２に沿うように設けられている。シール部材１は、シール部材当接部１ａとシール部材挿入部１ｂとを有し、図２および図３に示すように、開口部１２の周囲の上部から左右側部にかけて洗浄槽１１の前部に逆Ｕ字状に設けられ、前方に開口する溝部２１に、シール部材挿入部１ｂを圧入して固定されている。
【００２４】
なお、溝部２１は、本実施の形態では洗浄槽１１に設けたが、本体１０に設けてもよい。
【００２５】
シール部材１は長手方向で分割されることなく、逆Ｕ字状に連続的に一体で形成されており、断面は図４（ａ）〜（ｂ）に示すように、シール部材挿入部１ｂは、シール部材当接部１ａの下方に設けられ、シール部材当接部１ａの円形断面部下に設けられたシール部材フランジ部１ｃの下方に枝形状に形成されている。
【００２６】
以下の記載において、シール部材１の上下に関する記載は、シール部材１を図４に示すようにシール部材当接部１ａがシール部材挿入部１ｂより上方に位置する状態に置いた場合に基づく。
【００２７】
シール部材挿入部１ｂの枝形状は、シール部材フランジ部１ｃより小さい幅に形成された幹部４の両側にそれぞれ一対の下部枝部３ａと上部枝部３ｂを備え、下部枝部３ａ先端部の下部枝先端フック部９ａが、上部枝部３ｂの幹部４側の根元よりも上方すなわちシール部材当接部１ａ側に位置する形状としてある。下部および上部枝先端フック部９ａ、９ｂは、それらに連なる下部および上部枝部３ａ、３ｂの下方部分より外側に屈曲させてフック状に形成されている。
【００２８】
また、下部枝先端フック部９ａの先端を上部枝先端フック部９ｂの先端より外側に位置するようにして、下部枝部３ａを上部枝部３ｂより幅広で、かつ急勾配すなわち幹部４に対して成す角度を鋭角にしてある。
【００２９】
なお、上記の枝部は、本実施の形態では２対としたが、３対以上であってもよい。
【００３０】
シール部材挿入部１ｂのさらなる構成について、図４（ｃ）〜（ｄ）を用いて従来のシール部材と比較しながら以下に説明する。図４（ｃ）において、黒で表示した部分が本実施の形態におけるシール部材と従来のシール部材とで相違する構成部位である。
【００３１】
本発明におけるシール部材挿入部１ｂの構成は、挿入完了時に、下部枝部３ａおよび上部枝部３ｂと溝部２１との隙間、および下部枝部３ａと上部枝部３ｂとの間の隙間が、従来のシール部材の場合に比べて無いと表現できる程度に極小となる形状構成としてある。
【００３２】
具体的には、図４（ｃ）において、シール部材挿入部１ｂは、溝部２１へ挿入時に、上部枝部３ｂが非挿入部であるシール部材フランジ部１ｃに、また下部枝部３ａが上部枝部３ｂにそれぞれ接触する（図４（ｄ）参照）まで延長部５ａ、５ｂとして従来に比して延長し、幹部４近傍の根元の屈曲部に屈曲部除肉部位６ａ、６ｂを、その屈曲部除肉部位６ａ、６ｂに近接対応する幹部４に幹部除肉部位７ａ、７ｂをそれぞれ設けてある。また、屈曲部除肉部位６ａ、６ｂとは反対側の伸張部位８ａ、８ｂを増肉する構成としている。
【００３３】
下部枝部３ａの延長部５ａの延長長さは、下部枝部３ａの先端部（延長部５ａの先端部でもあり、下部枝先端フック部９ａでもある）が、上部枝部３ｂの幹部４側の根元よりも上方すなわちシール部材当接部１ａ側に位置する長さとしてある。
【００３４】
また、図４（ｄ）に示すように、シール部材挿入部１ｂを溝部２１に挿入して下扉体１３ａおよび上扉体１３ｂを閉塞した際、下部および上部枝部３ａ、３ｂが溝部２１との隙間２ａ、２ｂ、２ｃ、２ｄの極めて少ない挿入形態を形成する形状に構成されている。なお、図４は、図中矢印に対して右側が本実施の形態１のシール部材の場合、左側が従来のシール部材の場合を示している。
【００３５】
以上のように構成した食器洗い機について、その動作、作用を説明する。洗浄、すすぎ、乾燥の各工程における動作は従来の一般的な食器洗い機と同様であるので説明を省略し、本発明の特徴である、前面部２０の開口部１２と扉体１３との間に存在するシール部材１の動作および作用について、以下に詳しく説明する。
【００３６】
食器１６の食器かご１７へのセットは、下扉体１３ａ、上扉体１３ｂを開放し、下食器かご１７ａ、上食器かご１７ｂを引き出してから行う。食器１６のセット完了後、下食器かご１７ａ、上食器かご１７ｂを洗浄槽１１内に押し入れて、下扉体１３ａ、上扉体１３ｂで開口部１２を閉塞する。この時、下扉体１３ａ、上扉体１３ｂと開口部１２の間のシールが適切に行われる必要がある。
【００３７】
本発明の食器洗い機の構成によれば、シール部材挿入部１ｂの枝形状を、下部枝部３ａ先端部の下部枝先端フック部９ａが、上部枝部３ｂの幹部４側の根元よりも上方すなわちシール部材当接部１ａ側に位置する形状としてあるので、挿入変形時に下部枝部３ａが上部枝部３ｂを巻き込み被さるように変形することで溝部２１との隙間２ａ、２ｂ、２ｃ、２ｄを著しく減少させることができ、挿入性と保持力を両立し、さらに水漏れの抑制効果を向上させ溝部２１への水の浸入による前面部２０の開口部１２からの水漏れを抑制した高いシール性を実現できる。
【００３８】
また、シール部材１のシール部材挿入部１ｂの下部枝部３ａ、上部枝部３ｂの先端部に、下方に連なる部分より外側に屈曲させてフック状に形成した下部枝先端フック部９ａ、上部枝先端フック部９ｂを設けてあるので、シール部材挿入部１ｂを溝部２１に挿入した際に溝部２１の壁面にフック状に強く保持され、扉体１３閉塞時に密着しているために開放する際に溝部２１から引き抜く方向に働く力に対してもフック部で強く抵抗し、シール部材１が溝部２１から抜けたり正規の位置からずれたりして水漏れが発生することを防止することができる。
【００３９】
また、前記シール部材挿入部１ｂの下部枝部３ａ、上部枝部３ｂを挿入時に非挿入部であるシール部材フランジ部１ｃ、上部枝部３ｂにそれぞれ接触するまで延長し、下部枝部３ａ、上部枝部３ｂの幹部４近傍の根元の屈曲部および近接対応する幹部４を除肉し、屈曲部の除肉部位とは反対側の伸張部位８ａ、８ｂを増肉する構成としているので、シール部材１を溝部２１に、より小さな力で確実かつ完全に挿入、取り付けることが可能であり、扉体１３と開口部１２の間のシール性能を安定に確保できるとともに、シール部材１の取り付け作業性を向上させることができる。
【００４０】
また、シール部材挿入部１ｂを溝部２１に挿入して下扉体１３ａ、上扉体１３ｂを閉塞した際、下部および上部枝部３ａ、３ｂが溝部２１との隙間２ａ、２ｂ、２ｃ、２ｄの極めて少ない挿入形態を形成する形状に構成することにより、隙間２ａ、２ｂ、２ｃ、２ｄへの水侵入を原因とする前面部２０の開口部１２からの水漏れを抑制する高いシール性を実現できる。
【００４１】
また、下部枝部３ａを上部枝部３ｂより幅広で、急勾配すなわち幹部４に対して成す角度を鋭角に構成したことにより、挿入変形時に下部枝部３ａが上部枝部３ｂを上部枝部３ｂの上方部分まで十分に巻き込み被さるように変形し、上部枝部３ｂのシール部材フランジ部１ｃへの接触および下部枝部３ａの上部枝部３ｂへの接触をより確実かつ強固にすることができ、高いシール性を実現することができる。
【００４２】
また、シール部材挿入部１ｂは、溝部２１へ挿入時に、下部枝部３ａの変形が上部枝部３ｂを合わせて変形させる構成としたことにより、下部枝部３ａと上部枝部３ｂとで相乗効果的に溝部２１壁面にシール部材１を強く保持させることができ、高いシール性を実現することができる。
【００４３】
さらに、扉体１３開成の際、下扉体１３ａ、上扉体１３ｂによりシール部材当接部１ａが引っ張られることがあるが、前記シール部材挿入部１ｂの下部枝部３ａ、上部枝部３ｂを挿入時に非挿入部であるシール部材フランジ部１ｃ、上部枝部３ｂにそれぞれ接触するまで延長し、下部枝部３ａ、上部枝部３ｂの幹部４近傍の根元の屈曲部および近接対応する幹部４を除肉し、屈曲部の除肉部位とは反対側の伸張部位８ａ、８ｂを増肉する構成としている為、扉体１３の開成によってシール部材挿入部１ｂが抜けることなく組付け状態を維持するので高い保持力を実現でき、扉体１３と開口部１２の間のシール性能を長期にわたり安定に維持することができる。
【産業上の利用可能性】
【００４４】
以上のように、本発明にかかる食器洗い機は、洗浄槽の開口部と扉体との間に存在するシール部材の挿入性と保持力、シール性が高い高品質な食器洗い機であり、卓上型食器洗い機に限らずビルトイン・業務用の食器洗浄機に適用できる。
【符号の説明】
【００４５】
１  シール部材
１ａ  シール部材当接部
１ｂ  シール部材挿入部
１ｃ  シール部材フランジ部（フランジ部）
２ａ、２ｂ、２ｃ、２ｄ  隙間
３ａ  下部枝部
３ｂ  上部枝部
４  幹部
５ａ、５ｂ  延長部
６ａ、６ｂ  屈曲部除肉部位
７ａ、７ｂ  幹部除肉部位
８ａ、８ｂ  伸張部位
９  先端フック部
９ａ  下部枝先端フック部
９ｂ  上部枝先端フック部
１０  本体
１１  洗浄槽
１２  開口部
１３  扉体
１３ａ  下扉体
１３ｂ  上扉体
１４  洗浄ポンプ
１５  洗浄ノズル
１５ａ  下洗浄ノズル
１５ｂ  上洗浄ノズル
１６  食器（被洗浄物）
１７  食器かご
１７ａ  下食器かご
１７ｂ  上食器かご
１８ａ  下支持軸
１８ｂ  上支持軸
２０  前面部
２１  溝部
２２  内側壁
【図５】
2012217737.tif 000003
【図１】
2012217737.tif 000004
【図２】
2012217737.tif 000005
【図３】
2012217737.tif 000006
【図４】
2012217737.tif 000007
【図６】
2012217737.tif 000008